(57)【特許請求の範囲】
【請求項１】
複数の印刷ユニットを組み合わせて構成した多色刷輪転機において、前記印刷ユニットの間を走行するウェブの何れか一方の面に接触する複数のリングを有するローラを備え、前記各リングは、それぞれの間隔を変化させるようにウェブ幅方向位置を調整可能であって、前記ローラは、前記ウェブ幅方向に分離して２つ設けられていることを特徴とする多色刷輪転機の幅見当修正装置。
【請求項２】
前記各リングのウェブへの押付量を調整可能にしたことを特徴とする請求項１記載の多色刷輪転機の幅見当修正装置。
【請求項３】
前記各リングをウェブの走行速度と同じ周速で駆動するようにしたことを特徴とする請求項１または２記載の多色刷輪転機の幅見当修正装置。
【請求項４】
前記ウェブの幅方向の伸びを検出し、該伸びに対応して、前記各リングの間隔を変化させるモータを駆動して前記各リングのウェブ幅方向位置を調整するとともに、前記各リングを偏心運動させるモータを駆動して前記各リングのウェブへの押付量を調整する制御装置を備えることを特徴とする請求項１乃至３のいずれか記載の多色刷輪転機の幅見当修正装置。
【発明の詳細な説明】
【０００１】
【産業上の利用分野】
本発明は、両面多色刷輪転機においてウェブ幅方向の紙伸びによる色間見当ずれを修正する幅見当修正装置に関するものである。
【０００２】
【従来の技術】
従来、一対のブランケット胴の間でウェブ（紙）の両面に印刷する両面印刷ユニットを複数有し、同各両面印刷ユニットを上下複数段に積み重ねるか、水平方向に並設して、ウェブの両面に多色刷を行う多色刷輪転機は、公知である。
図６、図７は、前者の従来例を示している。１、２、１、２が上下４段に積み重ねた４つの両面印刷ユニットで、これら４つの両面印刷ユニットは、インキング装置３、３と、湿し装置４、４と、版胴５、５と、ブランケット胴６、６とを有している。
【０００３】
７が第１段（最下段）の両面印刷ユニット１を除く各両面印刷ユニット２、１、２の一対のブランケット胴６のウェブ進入側にウェブの両面に対応して設けた複数のエアノズルである。なお前記両面印刷ユニット１、２の各エアノズルを７ａ、７ｂにより示している。
９が制御装置、１０が第１段（最下段）の両面印刷ユニット１を除く各両面印刷ユニット２、１、２に対応した３つの電空制御器で、ウェブ幅方向の伸びに関する情報を制御装置９へ入力し、ここで得られた制御信号をアンプを経て各電空制御器１０へ送って、同各電空制御器１０を制御する一方、空気供給源からの圧力空気を減圧弁→空気溜→各電空制御器１０→各両面印刷ユニット２、１、２の各エアノズル７へ送り、これらのエアノズル７からウェブへ圧力を調整した空気を一斉に或いは個別に吹き付けて、ウェブの幅を縮小させるようにしている
ウェブが各両面印刷ユニットにより印刷されるとき、一対のブランケット胴６間の印圧、ウェブの縦、横方向の強度差（ウェブの繊維方向を縦とし、ウェブの繊維方向に直交する方向を横方向とする）、ウェブの含水率により、またオフセット印刷時には、湿し水の浸透によるウェブの強度低下や膨張により、ウェブが天地方向（ブランケット胴６の円周方向）及びウェブの幅方向（左右方向）に伸びる。この現象をフアンアウトと称し、このフアンアウトの大部分はウェブ幅中心の左右両側で非対称である。ウェブの抄造方法にもよるが、一般にウェブの繊維は、天地方向に並んでいるので、ウェブの幅方向の伸びは、約１ｍｍ前後になることがある。
【０００４】
一方、ウェブの天地方向のずれは、僅かなので、ウェブの天地方向の各位置におけるずれは均一とみてよく、ウェブの天地方向の伸びによる色間見当ずれは、既存の版胴の天地方向の見当合せ装置により、修正可能である。
一方、ウェブの幅方向の伸びによる幅方向色間見当ずれの修正は、見当ずれ量がウェブの幅方向位置により異なり、既存の版胴の左右方向の見当合せ装置では、ウェブの幅方向で見当のずれる箇所が生じるので、ウェブの幅方向の伸びを防止するため、前記のように一対のブランケット胴６のウェブ進入側に、図６、図７に示すようにウェブの両面に対応して複数のエアノズル７を設け、これらのエアノズル７からウェブへ圧力を調整した空気を一斉に或いは個別に吹き付けて、ウェブの幅を縮小させるようにしている（必要ならば特願平５−２４６９１０号明細書を参照されたい）。
【０００５】
【発明が解決しようとする課題】
前記図６、図７に示す従来の多色刷輪転機の幅見当修正装置では、一対のブランケット胴６のウェブ進入側に、ウェブの両面に対応して複数のエアノズル７を配置し、これらのエアノズル７からウェブへ調整した圧力の空気圧一斉に或いは個別に吹き付けて、ウェブの幅を縮小させるようにしている。
【０００６】
しかしフアンアウトが前述のように左右非対称で、左右両側におけるフアンアウトの形状がかなり異なることがあり、１本のリンクルローラでは、フアンアウトを解消することができない場合がある。
また多数のエアノズルを必要としており、部品点数が多くて、製作コストを高める上に、多量の圧力空気を必要として、ランニングコストを高めるという問題があった。
【０００７】
本発明は前記の問題点に鑑み提案するものであり、その目的とする処は、（１）１本のリンクルローラでは達成できないフアンアウトの解消を可能にでき、（２）各リングとウェブとの間でのスリップをなくすことができ、（３）リング上のインキが次の絵柄に再転移しても、汚れにならず、（４）ウェブ幅をウェブ幅方向の伸びに応じて自動的に縮小できる多色刷輪転機の幅見当修正装置を提供しようとする点にある。
【０００８】
【課題を解決するための手段】
上記の目的を達成するために、本発明は、複数の印刷ユニットを組み合わせて構成した多色刷輪転機において、前記印刷ユニットの間を走行するウェブの何れか一方の面に接触する複数のリングを有するローラを備え、前記各リングは、それぞれの間隔を変化させるようにウェブ幅方向位置を調整可能であって、前記ローラは、前記ウェブ幅方向に分離して２つ設けられていることを特徴とする（請求項１）。
【０００９】
前記多色刷輪転機の幅見当修正装置において、各リングのウェブへの押付量を調整可能にしてもよい（請求項２）。前記多色刷輪転機の幅見当修正装置において、各リングをウェブの走行速度と同じ周速で駆動するようにしてもよい（請求項３）。
【００１０】
前記多色刷輪転機の幅見当修正装置において、前記ウェブの幅方向の伸びを検出し、該伸びに対応して、前記各リングの間隔を変化させるモータを駆動して前記各リングのウェブ幅方向位置を調整するとともに、前記各リングを偏心運動させるモータを駆動して前記各リングのウェブへの押付量を調整する制御装置を具備してもよい（請求項４）。
【００１１】
【作用】
本発明の多色刷輪転機の幅見当修正装置は前記のように構成されており、（１）分割型リンクルローラにしたので、ウェブ幅方向で左右非対称のフアンアウトの形状に応じて左側及び右側のそれぞれに配置した分割型リンクルローラのウェブ進行方向における設置位置を変える。リングの押付量の調整範囲は限られているので、１本のリンクルローラでは、達成できない調整を可能にする。（２）ウェブ幅方向各位置におけるウェブの伸びに応じてローラの各リングのウェブ幅方向位置を調整し、ウェブ幅をウェブ幅方向の伸びに応じて縮小させて、色間見当ずれを許容範囲内に収める。（３）ウェブ幅方向各位置におけるウェブの伸びに応じてローラの各リングのウェブ幅方向位置を調整する一方、ローラ側各リングのウェブへの押付力を調整し、この押付力とウェブ張力とにより、ウェブ幅方向に僅少な波打ちを生じさせて、ウェブの幅をウェブ幅方向の伸びに応じて縮小させる。この縮小されたウェブ幅を、両面印刷ユニットの一対のブランケット胴による印刷位置で元のウェブ幅、即ち、第１段両面印刷ユニットに入るウェブ幅にして、色間見当ずれを許容範囲内に収める。（４）ローラの各リングをウェブの走行速度と同じ周速で駆動して、各リングとウェブとの間でのスリップをなくす。（５）運転中、ウェブの幅方向の伸びを検知し、この結果に基づき各リングのウェブ幅方向位置及び各リングのウェブへの押付量を調整して、ウェブ幅をウェブ幅方向の伸びに応じて自動的に縮小する。
【００１２】
【実施例】
次に本発明の多色刷輪転機の幅見当修正装置を図１〜図５に示す一実施例により説明する。図１は、４つの両面印刷ユニット１ａ、２ａ、１ｂ、２ｂとリング付ローラの配置を示す側面図、図２は、分割型リンクルローラの斜視図、図３は、分割型リンクルローラの縦断側面図、図４は、図３の矢印Ａ部分を示す縦断正面図、図５は、図３の矢視Ｙ−Ｙ線に沿う縦断正面図である。
【００１３】
図１に示すように両面印刷ユニット１ａ、１ｂ、２ａ、２ｂは、インキング装置３と湿し装置４とを有する版胴５、５と、同各版胴５に離接し且つ互いに離接するブランケット胴６、６とを有し、多色刷輪転機は、これらの両面印刷ユニットを１ａ、２ａ、１ａ、２ｂの順に積み重ねて構成されている。
ウェブは、第１段（最下段）の両面印刷ユニット１ａのブランケット胴６、６の間Ｐから第４段（最上段）の両面印刷ユニット２ｂのブランケット胴６、６の間Ｓを通過するまでに、ウェブの両面に最大４色の印刷が施される。
【００１４】
一方、ブランケット胴６、６の間Ｐ、Ｑ、Ｒ、Ｓで印刷されるとき、ウェブは、主として各湿し装置４から版胴５へ供給された湿し水がブランケット胴６を経てウェブへ吸収されることにより、天地（ブランケット胴６の円周方向、即ち、ウェブの走行方向）、及び左右方向（ウェブの幅方向）に伸びたり、膨張したりして、フアンアウトを起こす。
【００１５】
ウェブの天地方向の伸び量は、僅少であるが、ウェブ幅方向の伸び量は、かなり大きく（約１ｍｍ前後）、しかもウェブの幅方向位置により異なる。
例えば両面印刷ユニット１ａから両面印刷ユニット２ａの間で伸びたウェブ幅を両面印刷ユニット２ａのブランケット胴６、６の間に入る直前に、元のウェブ幅に戻るようにする。
【００１６】
本幅見当修正装置では、分割型リンクルローラ１１、１１’（ともに同じ構造なので、片方の分割型リンクルローラ１１のみを説明する）が両面印刷ユニット１ａと２ａとの間、両面印刷ユニット２ａと１ｂとの間、及び両面印刷ユニット１ｂと２ｂとの間にそれぞれ設けられている。分割型リンクルローラ１１には、図２に示すように複数のリング１４がウェブ幅方向に間隔を置いて取付けられており、この分割型リンクルローラ１１は駆動されている。
【００１７】
この分割型リンクルローラ１１の詳細を図３〜図５により説明すると、図３の１２が中空の分割型リンクルローラ１１を貫通した調整ねじ軸で、分割型リンクルローラ１１の軸端部が軸受と偏心ブッシュ１５及び１５’（以下、単に偏心ブッシュ１５と称する）とを介してフレームステーに固定されたブラケット２０に回転可能に支持され、調整ねじ軸１２の両軸端部が軸受を介してローラ１１の両軸端部に回転可能に支持されている。
【００１８】
上記調整ねじ軸１２には、それぞれピッチの異なるねじ部１２ａ、１２ｂ、１２ｃが設けられ、これらねじ部１２ａ、１２ｂ、１２ｃには、十字型デイスク１３ａ、１３ｂ、１３ｃが螺合し、これら十字型デイスク１３ａ、１３ｂ、１３ｃの外端部が分割型リンクルローラ１１の長溝１１ａを経て分割型リンクルローラ１１外に突出して、回転方向には、分割型リンクルローラ１１の長溝（軸方向に長い長溝）１１ａに係合し、分割型リンクルローラ１１の軸方向には、移動可能になっている。また十字型デイスク１３ａ、１３ｂ、１３ｃの外端部には、ボルト１４’を介してリング１４が固定されている。
【００１９】
上記ねじ軸１２の一端部には、歯車１２Ｇを介して差動歯車装置２１が連結され、同差動歯車装置２１には、モータ２２が連結されており、モータ２２を駆動し、差動歯車装置２１を介して調整ねじ軸１２を十字型デイスク１３ａ、１３ｂ、１３ｃに対して回転させて、十字型デイスク１３ａ、１３ｂ、１３ｃ及び各リング１４を分割型リンクルローラ１１の軸方向（ウェブの幅方向）に移動させる。このとき、調整ねじ軸１２に設けたねじ部１２ａ、１２ｂ、１２ｃのピッチが異なるので、十字型デイスク１３ａ、１３ｂ、１３ｃ及び各リング１４の間隔が変化する。
【００２０】
１５Ｇが上記偏心ブッシュ１５に設けた歯車で、この歯車１５Ｇには、歯車１６Ｇが噛合している。１８が減速機１７を介して同歯車１６Ｇを回転するモータで、モータ１８を駆動し、その回転を減速機１７→歯車１６Ｇ→歯車１５Ｇを経て偏心ブッシュ１５に伝え、同偏心ブッシュ１５を回転させて、分割型リンクルローラ１１ひいては十字型デイスク１３ａ、１３ｂ、１３ｃ及び各リング１４を偏心運動させて、各リング１４のウェブ面への押付量を調整するようになっている。
【００２１】
図３の９が制御装置で、運転中、センサー等によりウェブ幅方向の伸びを検出し、そのとき得られた検出信号を制御装置９へ入力し、ここで得られた制御信号（ウェブ幅方向の伸びに対応してウェブを縮小させるための制御信号）をモータ２２及び１８へ送る。
そしてモータ２２を駆動し、差動歯車装置２１を介して調整ねじ軸１２を十字型デイスク１３ａ、１３ｂ、１３ｃに対して回転させて、十字型デイスク１３ａ、１３ｂ、１３ｃ及び各リング１４を分割型リンクルローラ１１の軸方向（ウェブの幅方向）に移動させて、十字型デイスク１３ａ、１３ｂ、１３ｃ及び各リング１４の間隔を調整（変化）させる。
【００２２】
またモータ１８を駆動して、その回転を減速機１７→歯車１６Ｇ→歯車１５Ｇ→偏心ブッシュ１５に伝え、同偏心ブッシュ１５を回転させて、分割型リンクルローラ１１ひいては十字型デイスク１３ａ、１３ｂ、１３ｃ及び各リング１４を偏心運動させて、各リング１４のウェブ面への押付量を調整（変化）させる。
このように各リング１４の間隔と、各リング１４のウェブ面への押付量とを調整して、ウェブの一面に押付ければ、ウェブの張力とにより、ウェブ幅方向に僅少の波打ちを生じさせて、ウェブの幅を縮小させる。この縮小されたウェブの幅は、各両面印刷ユニット２ａ、１ｂ、２ｂのブランケット胴６、６間の印刷位置、例えば両面印刷ユニット２ａの印刷位置Ｑで第１段の両面印刷ユニット１ａのＰ部に入るウェブ幅と同一になる。
【００２３】
また図２に示すように版胴５の歯車５Ｇの回転を２つの中間歯車１９Ｇとローラ１１の歯車１１Ｇとを経てローラ１１に伝え、ローラ１１の各リング１４をウェブの走行速度と同じ周速で駆動して、各リングとウェブとの間でのスリップをなくす。
また各リング１４の直径を版胴５の版装着時の直径の１／２にしている。そのため、ウェブ上の絵柄のインキがリング１４に転移しても、同じ位相で次にくる同じ絵柄に重なり合うので、リング１４上のインキが次の絵柄に再転移しても、汚れにならない。
【００２４】
【発明の効果】
本発明の多色刷輪転機の幅見当修正装置は前記のように分割型リンクルローラにしたので、ウェブ幅方向で左右非対称のフアンアウトの形状に応じて左側及び右側のそれぞれに配置した分割型リンクルローラのウェブ進行方向における設置位置を変えることができて、１本のリンクルローラでは達成できないフアンアウトの解消を可能にできる。
【００２５】
またウェブ幅方向で左右非対称のウェブ幅方向各位置におけるウェブの伸びに応じてローラの各リングのウェブ幅方向位置を調整して、ウェブ幅をウェブ幅方向の伸びに応じて縮小させるので、色間見当ずれを許容範囲内に収めることができる。
また分割型リンクルローラ毎にウェブ幅方向各位置におけるウェブの伸びに応じてローラの各リングのウェブ幅方向位置を調整する一方、ローラ側各リングのウェブへの押付力を調整し、この押付力とウェブ張力とにより、ウェブ幅方向に僅少な波打ちを生じさせて、ウェブの幅をウェブ幅方向の伸びに応じて縮小させる。この縮小されたウェブ幅は、両面印刷ユニットの一対のブランケット胴による印刷位置で元のウェブ幅、即ち、第１段両面印刷ユニットに入るウェブ幅になるので、色間見当ずれを許容範囲内に収めることができる。
【００２６】
またローラの各リングをウェブの走行速度と同じ周速で駆動するので、各リングとウェブとの間でのスリップをなくすことができる。
【００２７】
また運転中、ウェブの幅方向の伸びを検知し、この結果に基づき各リングのウェブ幅方向位置及び各リングのウェブへの押付量を調整するので、ウェブ幅をウェブ幅方向の伸びに応じて自動的に縮小できる。
【図面の簡単な説明】
【図１】本発明に係わる多色刷輪転機の幅見当修正装置の一実施例における印刷ユニットと分割型リンクルローラとの配置を示す側面図である。
【図２】同分割型リンクルローラの斜視図である。
【図３】同分割型リンクルローラの縦断側面図である。
【図４】図３の矢印Ａ部分を示す縦断正面図である。
【図５】図３の矢視Ｙ−Ｙ線に沿う縦断正面図である。
【図６】従来の多色刷輪転機の幅見当修正装置を示す側面図である。
【図７】図６の矢視Ｘ−Ｘ線に沿う平面図である。
【符号の説明】
１ａ          印刷ユニット
１ｂ            〃
２ａ            〃
２ｂ            〃
５            版胴
１１、１１’  分割型リンクルローラ
１４          リング
【図１】
0003611254.tif 000002
【図２】
0003611254.tif 000003
【図３】
0003611254.tif 000004
【図４】
0003611254.tif 000005
【図５】
0003611254.tif 000006
【図６】
0003611254.tif 000007
【図７】
0003611254.tif 000008